(57)【要約】【課題】複数のデジタル放送を同時受信可能なデジタル放送受信機において、放送規格で決められている放送規格番組情報と、事業者から提供される事業者提供番組情報との２種類の番組情報の最新情報を常に効率よく取得が可能なデジタル放送受信機を提供する。【解決手段】映像音声信号と、前記放送規格番組情報と、前記事業者提供番組情報とを含むデジタル放送を受信可能な複数の受信手段と、前記受信手段を同時に制御する受信制御手段を有し、前記受信制御手段は、前記複数の受信手段のうち一つを映像音声受信用として制御し、前記映像音声受信用受信手段以外の受信手段を番組情報取得用として制御し、前記番組情報取得用受信手段の制御は、前記放送規格番組情報と前記事業者提供番組情報とを常に最新情報に更新し、前記２種類の番組情報の更新タイミングが重なった場合には、前記事業者提供番組情報を優先して取得することを特徴とする。【選択図】  図１
2006203745.tif 000002
【特許請求の範囲】
【請求項１】
デジタル放送波を受信、デコードするデジタル放送受信機において、
映像音声信号と、放送規格で定められた第一の番組情報と、特定の事業者が提供する前記第一の番組情報と異なる第二の番組情報とを含むデジタル放送波を受信、デコードする複数の受信手段と、
前記複数の受信手段にて得られる前記第一の番組情報と、前記第二の番組情報とを記憶する記憶手段と、
前記複数の受信手段と前記記憶手段とを制御する制御手段を有し、
前記制御手段は、
前記デジタル放送波を受信して、前記受信したデジタル放送波に含まれる映像音声信号をデコードするために、前記複数の受信手段のうち少なくとも一つを映像音声信号受信用受信手段として制御し、
前記デジタル放送波を受信して、前記受信したデジタル放送波に含まれる前記第一の番組情報と前記第二の番組情報とをデコードして前記記憶手段に記憶させるために、前記映像音声信号受信用受信手段以外の受信手段のうち少なくとも一つを番組情報取得用受信手段として制御し、
前記番組情報取得用受信手段と前記記憶手段とを、前記記憶手段に記憶している前記第一の番組情報と前記第二の番組情報とが常に最新情報に更新されるように制御し、かつ、前記第一の番組情報と前記第二の番組情報との更新タイミングが重なった場合には、前記第二の番組情報を優先して更新するように制御する、
ことを特徴とするデジタル放送受信機。
【発明の詳細な説明】
【技術分野】
【０００１】
本発明は、デジタル放送波を受信し、受信したデジタル放送波に含まれる映像音声信号を出力するとともに、前記デジタル放送波に含まれる番組情報を取得し、ユーザへ電子番組表として提示することが可能なデジタル放送受信機に関するものである。
【背景技術】
【０００２】
現在日本国内で放送されているデジタル放送ネットワーク（ＢＳデジタル／ＣＳ１１０デジタル／地上デジタル等）は、映像音声信号に加えて、同一デジタル放送ネットワーク内の現在放送中の各番組、及び将来放送予定の所定期間内の各番組の、番組名、番組の開始／終了時刻等の番組情報を、全ての放送周波数チャンネルにおいて送出する運用が放送規格として定められている。
【０００３】
また、ジェムスター社をはじめとする特定の事業者により、同一デジタル放送ネットワーク内に限らず多くのデジタル放送ネットワーク（ＢＳデジタル／ＣＳ１１０デジタル／地上デジタル等）にまたがった番組情報を、所定の放送周波数チャンネルにて一括して送出するサービス（Ｇ−ＧＵＩＤＥサービス等）が提供されている。
【０００４】
本説明ではこれ以降、上記２種類の番組情報を区別するために、放送規格で決められている番組情報を放送規格番組情報と呼び、特定事業者により提供される番組情報を事業者提供番組情報と呼ぶ。
【０００５】
上記放送規格番組情報と事業者提供番組情報とではそれぞれ以下のような特徴がある。
（１）放送規格番組情報：同一デジタル放送ネットワーク内の全ての放送周波数チャンネルで同一の番組情報が常に送出されているので、どの番組を視聴していても同一デジタル放送ネットワーク内の番組情報を取得できる。但し、地上デジタル放送に関しては、放送周波数チャンネル（放送局）毎に放送ネットワークが異なるので、受信可能な放送周波数チャンネルを全て受信して、それぞれの放送周波数チャンネル毎（デジタル放送ネットワーク毎）の番組情報を取得する必要がある。
（２）事業者提供番組情報：１つの番組情報提供用チャンネルの番組情報提供番組を所定放送時刻に受信すれば複数の主要なデジタル放送ネットワーク（ＢＳデジタル／ＣＳ１１０デジタル／地上デジタル等）の番組情報を取得できる。逆に言えば、このチャンネルを所定放送時刻に受信しないと事業者提供番組情報は全く得られない。所定放送時刻は、別途同じ番組情報提供用チャンネルで常に送出されている番組情報更新スケジュールから取得する。
【０００６】
そして、現在の多くのデジタル放送受信機は、複数のデジタル放送ネットワークを受信可能であり、かつ前述の放送規格番組情報と事業者提供番組情報のうちいずれか、若しくは両方を取得し、受信機内のＲＡＭ（Ｒａｎｄｏｍ  Ａｃｃｅｓｓ  Ｍｅｍｏｒｙ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、またはフラッシュメモリなどの記憶素子に一時的に記憶する。そして、この記憶した番組情報を用いて電子番組表（ＥＰＧ：Ｅｌｅｃｔｒｏｎｉｃ  Ｐｒｏｇｒａｍ  Ｇｕｉｄｅ）をユーザへ提示する機能を有している。
【０００７】
更には、近年のデジタル放送受信技術の進歩により、複数のデジタル放送ネットワークの同時受信、及び同時デコードを行なうことが可能なデジタル放送受信機も実現しつつある。
【０００８】
前記デジタル放送ネットワークの同時受信、同時デコードが可能なデジタル放送受信機において番組情報の取得を扱った従来例として、例えば、特開２００４−１２０４５２では、複数方式のデジタル放送から任意の１方式のデジタル方式を選択し、ユーザにより選択されていないデジタル方式全ての番組情報をバックグラウンド処理で取得するシステムが提案されている。
【０００９】
また、特開２００４−２２８９９２では、２つのチューナの一方をデータ取り込み用とすることで、テレビ放送の視聴中であっても常に定期的に番組情報を取り込むことができるシステムが提案されている。
【特許文献１】特開２００４−１２０４５２
【特許文献２】特開２００４−２２８９９２
【発明の開示】
【発明が解決しようとする課題】
【００１０】
前述したように放送規格番組情報と事業者提供番組情報とはそれぞれ一長一短の特徴があり、また互いの情報を併せれば各番組に対する情報量が増加するので、デジタル放送受信機としては、両方を取得するのが望ましい。
【００１１】
しかしながら特許文献１や特許文献２に示されるような従来例は、いずれもユーザが放送番組を視聴中にも放送規格番組情報を取得できるというものであるが、事業者提供番組情報の取得に関してはなんら記載されていない。
【００１２】
また、上記２種類の番組情報はそれぞれ一定周期で更新されるので、デジタル放送受信機は、記憶しているそれぞれの番組情報を常に最新情報に更新する必要がある。前述したとおり、放送規格番組情報は各周波数チャンネルにおいて、常に送出されており、いつでも取得が可能である。一方、事業者提供番組情報は、所定の番組情報提供用チャンネルにおいて所定放送時刻にしか送出されないので、この所定放送時刻にならないと取得することができない。
【００１３】
上記２種類の番組情報の更新タイミングが重なったときに、放送規格番組情報を取得、更新していると、事業者提供番組情報は、次の所定放送時刻が到来するまで最新の情報に更新できなくなり、最新の情報の取得に遅延が生じる。従って、最新の事業者提供番組情報の取得に遅延が生じている間は古い番組情報しかユーザに提示できなくなってしまう。
【００１４】
本発明は上記課題を鑑みてなされたものである。
本発明は、放送規格番組情報、及び事業者提供番組情報の最新情報への更新タイミングが重なった場合には、事業者提供番組情報の方を優先して取得することで、前記２種類の最新の番組情報を常に、遅延を生じること無く、効率よく、確実に取得、更新することが可能なデジタル放送受信機を提供することを目的とする。
【課題を解決するための手段】
【００１５】
そこで上記課題を解決するために本発明は、以下のデジタル放送受信機を提供するものである。
（１）デジタル放送波を受信、デコードするデジタル放送受信機において、
映像音声信号と、放送規格で定められた第一の番組情報と、特定の事業者が提供する前記第一の番組情報と異なる第二の番組情報とを含むデジタル放送波を受信、デコードする複数の受信手段と、
前記複数の受信手段にて得られる前記第一の番組情報と、前記第二の番組情報とを記憶する記憶手段と、
前記複数の受信手段と前記記憶手段とを制御する制御手段を有し、
前記制御手段は、
前記デジタル放送波を受信して、前記受信したデジタル放送波に含まれる映像音声信号をデコードするために、前記複数の受信手段のうち少なくとも一つを映像音声信号受信用受信手段として制御し、
前記デジタル放送波を受信して、前記受信したデジタル放送波に含まれる前記第一の番組情報と前記第二の番組情報とをデコードして前記記憶手段に記憶させるために、前記映像音声信号受信用受信手段以外の受信手段のうち少なくとも一つを番組情報取得用受信手段として制御し、
前記番組情報取得用受信手段と前記記憶手段とを、前記記憶手段に記憶している前記第一の番組情報と前記第二の番組情報とが常に最新情報に更新されるように制御し、かつ、前記第一の番組情報と前記第二の番組情報との更新タイミングが重なった場合には、前記第二の番組情報を優先して更新するように制御する、
ことを特徴とするデジタル放送受信機。
【発明の効果】
【００１６】
本発明のデジタル放送受信機によれば、放送規格番組情報、及び事業者提供番組情報を最新情報に更新する際に、前記２種類の番組情報の更新タイミングが重なった場合には、事業者提供番組情報の方を優先して取得することで、前記２種類の最新の番組情報を常に、遅延を生じること無く、効率よく、確実に取得、更新することが可能となる。また、放送規格番組情報、及び事業者提供番組情報を、ユーザの視聴の有無に関わらず、取得することが可能となる。
【発明を実施するための最良の形態】
【００１７】
以下、本発明の実施の形態を説明する。
衛星デジタル放送（ＢＳデジタル放送及びＣＳ１１０デジタル放送）と地上デジタル放送では扱う電波の違いから、放送波を受信するためのＮＩＭ（Ｎｅｔｗｏｒｋ  Ｉｎｆｏｒｍａｔｉｏｎ  Ｍｏｄｕｌｅ：即ちチューナ）はそれぞれ専用のものが必要となる。
【００１８】
一方、ＮＩＭの出力は衛星デジタル放送も地上デジタル放送もＭＰＥＧ−ＴＳと呼ばれる同一のデジタルストリーム規格の信号に変換されるので、以降のデコード処理用ハードウェアは共用が可能である。そして近年のデジタル処理技術の進歩により、衛星デジタル放送のＮＩＭ出力と、地上デジタル放送のＮＩＭ出力とを同時にデコード可能なデジタル放送受信機も実現可能となっている。本発明に係る実施例はこの同時デコード可能なデジタル放送受信機を用いることを前提とする。
【００１９】
そしてこの同時デコード処理が可能となることにより、ユーザが視聴していない方のＮＩＭ出力のデコード機能はデジタル放送受信機が自由に使用できる状態にあり、このデコード機能を利用して最新の番組情報を取得し、記憶することが可能である。
【００２０】
放送規格番組情報（第一の番組情報）の場合、最新の番組情報であるか否かの判断は、現在時刻とデジタル放送ネットワーク毎の過去に取得した放送規格番組情報の取得時刻とを比較することで行う。最新の放送規格番組情報が取得できたと判断したときには、その放送規格番組情報が最新ではない時刻になるまで処理は行わない。このように定期的に放送規格番組情報の更新状況を調査し、最新の放送規格番組情報の取得と更新を行うこととする。
【００２１】
一方、事業者提供番組情報（第二の番組情報）の場合、最新の番組情報であるか否かの判断は、常に送出されている番組情報更新スケジュールを参照することで行なう。そして、この番組情報更新スケジュールに記述されている、最新の番組情報が送出される時刻に番組情報の取得と更新を行う。
【００２２】
放送規格番組情報は、放送が行われている限り常に番組情報が送出されており、選局を行えばいつでも取得と更新が可能である。しかし、事業者提供番組情報は一定期間毎に番組情報を分割して送出する。そのため、取得、更新したい放送ネットワーク（ＢＳデジタル／ＣＳ１１０デジタル／地上デジタル）の番組情報が常に送出されているとは限らない。
【００２３】
そこで、ユーザの視聴動作の裏で、空いているデコード処理機能を利用して、上記２種類の番組情報を効率的に取得、更新するために、放送規格番組情報の取得、更新処理と事業者提供番組情報の取得、更新処理とに優先度を付けて番組情報の取得処理を行うこととした。
【実施例】
【００２４】
図１は、本発明に係るデジタル放送受信機の一実施例を示す構成図である。以下、図１を用いて実施例を説明する。
衛星デジタル放送のＮＩＭであるチューナ部１（１０２）と地上デジタル放送のＮＩＭであるチューナ部２（１０３）では、それぞれで受信したデジタル放送波をＭＰＥＧ−ＴＳ信号に変換し、ＭＰＥＧ２  ＤＥＭＵＸ部（１０４）に出力する。
【００２５】
ＭＰＥＧ２  ＤＥＭＵＸ部（１０４）では、入力した各ＭＰＥＧ−ＴＳ信号から、それぞれ映像データ、音声データ、及び番組情報等の付加データを分離するデマルチプレックス処理を行う。そして、分離したそれぞれの映像データと音声データはＭＰＥＧ２  ＤＥＣＯＤＥＲ部（１０５）へ出力する。
【００２６】
ＭＰＥＧ２  ＤＥＣＯＤＥＲ部（１０５）では入力した映像データと音声データをデコードして、映像信号、音声信号を生成して外部へ出力する。
一方、番組情報は、ＣＰＵ（１０６）によりデコードされ、メモリ（１０７）またはフラッシュメモリ（１０８）に記憶される。そして記憶した番組情報は、ユーザ操作取得部（１０９）からの指示によりＣＰＵ（１０６）が判断してＧＲＡＰＨＩＣＳ部（１１０）に電子番組表として出力される。
【００２７】
ユーザの通常の一画面視聴動作では、チューナ部１（１０２）もしくはチューナ部２（１０３）及びそれぞれのＭＰＥＧ−ＴＳ出力に対するデコード機能はどちらか一方のみが有効であり、他方のチューナ部及デコード機能は使用していない状態となる。そこで、この空いたデコード機能を利用して番組情報をデジタル放送受信機が自律的に取得することとする。
【００２８】
番組情報取得処理部（１１１）が最新の番組情報が存在しているか否かをＣＰＵ（１０６）に問合せる。ＣＰＵ（１０６）では、メモリ（１０７）またはフラッシュメモリ（１０８）に記憶してある番組情報取得完了時刻を調査し、番組情報が最新か否かを判断する。番組情報が最新ではないと判断した場合、ＣＰＵ（１０６）は、空いたデコード機能を使用して番組情報を取得、更新する。
【００２９】
放送規格番組情報は、再送周期毎に常時送出されている。そのため、放送規格番組情報を取得するタイミングはいつでもよく、この再送周期の間データを取得し続けることで電子番組表を構成する情報が揃う。
【００３０】
常時送出されている放送規格番組情報は、最低でも一日に一度、更に番組編成の急な変更により更新されることがある。しかし、それらを常時監視し続けることは省電力の観点からも効率的ではない。そこで、一定期間ごとに定期的に取得するタイミングを設け、番組情報取得のために選局を行うことで最新の放送規格番組情報を取得、更新する。
【００３１】
図２は、放送規格番組情報更新を行う際の処理の流れを示すフローチャートである。まず、ＢＳデジタル放送の最新の放送規格番組情報があるか否かを確認する。ＢＳデジタル放送の最新の番組情報がある場合（Ｓ２０１）は何もせずに次のフローに移り、ない場合はＢＳデジタル放送を選局（Ｓ２０２）する。選局に成功し、ＢＳデジタル放送の番組情報が更新できた場合（Ｓ２０３）、その番組情報の更新を完了した時刻をメモリ等に記憶（Ｓ２０４）しておく。選局に失敗した場合、何もせずに次のフローに移る。
【００３２】
ＢＳデジタル放送の放送規格番組情報更新処理が完了すると、ＣＳ１１０デジタル放送の最新の放送規格番組情報があるか否かを確認する。ＣＳ１１０デジタル放送の最新の放送規格番組情報がある場合（Ｓ２０５）何もせずに次のフローに移り、ない場合はＣＳ１１０デジタル放送を選局（Ｓ２０６）する。選局に成功し、ＣＳ１１０デジタル放送の放送規格番組情報が更新できた場合（Ｓ２０７）、その放送規格番組情報の更新を完了した時刻をメモリ等に記憶（Ｓ２０８）しておく。選局に失敗した場合、何もせずに次のフローに移る。
【００３３】
ＣＳ１１０デジタル放送の放送規格番組情報更新処理が完了すると、地上デジタル放送の最新な放送規格番組情報があるか否かを確認する。地上デジタル放送の最新の番組情報がある場合（Ｓ２０９）何もせずに次のフローに移り、ない場合は地上デジタル放送を選局（Ｓ２１０）する。選局に成功し、地上デジタル放送の放送規格番組情報が更新できた場合（Ｓ２１１）、その放送規格番組情報の更新を完了した時刻をメモリ等に記憶（Ｓ２１２）しておく。選局に失敗した場合、何もせずに次のフローに移る。
【００３４】
全ての受信可能なネットワークの放送規格番組情報確認処理が完了すると、それらの番組情報取得完了時刻から、全ての放送規格番組情報が最新であるかを判断する（Ｓ２１３）。全ての放送規格番組情報が最新と判断した場合、６時間等のある程度時間をおいた後に処理を繰り返す（Ｓ２１４）。最新ではない放送規格番組情報があると判断した場合は、ユーザの視聴等により選局ができなかったことが予想されるため、１０分間等の比較的短期間待った上で処理を繰り返す（Ｓ２１５）。
【００３５】
一方、事業者提供番組情報は、所定のデジタル放送ネットワークの番組情報提供用チャンネルの番組情報提供番組として所定放送時刻に纏めて送出される。また、前記番組情報提供番組の放送スケジュールは、番組情報更新スケジュールとして常に送出されている。従って、デジタル放送受信機は、まず前記番組情報更新スケジュールから、番組情報提供番組の放送スケジュールを取得し、その取得した放送スケジュールに記述されている時刻に番組情報提供用チャンネル（番組）を選局することで事業者提供番組情報を取得、更新する。
【００３６】
放送規格番組情報と事業者提供番組情報とは、その送出方法の違いから取得方法を工夫することで効率的に双方の情報を取得、更新することが可能である。放送規格番組情報は常に送出されているため、いつ選局してもほぼ同じ状態の放送規格番組情報を取得できるが、事業者提供番組情報は送出スケジュール時刻になるまで何も放送されないため、スケジュール調整を行った上での選局を行わないと効率的に取得できない。
【００３７】
そこで図３に示すフローチャートに従った双方の番組情報取得のための選局を行うことで、最新の放送規格番組情報と事業者提供番組情報の双方を効率よく取得、更新することを可能とした。まず、事業者提供番組情報の送出時刻を確認する（Ｓ３０１）。この送出時刻の直前になるまでは事業者提供番組情報を取得しようとしてもできないため選局処理は行わず、事業者提供番組情報送出時刻情報により選局のための予約時刻の設定を行う（Ｓ３０２）。
【００３８】
予約時刻になると選局を開始する（Ｓ３０３）。そして、放送規格番組情報を取得、更新中か否かを確認する（Ｓ３０４）。取得。更新中であれば、放送規格番組情報取得処理を中断（Ｓ３０５）した上で事業者提供番組情報更新処理（Ｓ３０６）を開始する。取得、更新中でなければそのままなにもせずに事業者提供番組情報更新処理（Ｓ３０６）を開始する。
【００３９】
事業者提供番組情報更新処理を終了（Ｓ３０７）した時点で、次の事業者提供番組情報が送出されるまで事業者提供番組情報の取得、更新は行わずに待機する。
本実施例では、受信、デコード機能を２系統として説明したが、これを３系統以上にしてももちろん構わない。この場合は、１系統をユーザへの番組提示用として、残りの系統を全て番組情報取得用としたり、ユーザへの番組提示用に複数系統を使用してマルチ画面表示したりすることが可能となる。
【００４０】
また、本実施例では地上デジタル放送と衛星（ＢＳ／ＣＳ１１０）デジタル放送とを同時受信する例を説明したが、もちろん地上デジタル放送を複数同時受信しても、衛星（ＢＳ／ＣＳ１１０）デジタル放送を複数同時受信しても構わない。
【００４１】
以上のような処理を行うことにより、放送規格番組情報と事業者提供番組情報との両方の最新情報を常に、遅延を生じること無く、効率よく、確実に取得することが可能となる。
【図面の簡単な説明】
【００４２】
【図１】本発明の一実施の形態の構成を示すブロック図である。
【図２】一実施の形態の放送規格番組情報更新処理を示すフローチャートである。
【図３】一実施の形態の番組情報更新処理を示すフローチャートである。
【符号の説明】
【００４３】
１０１：デジタル放送受信機
１０２：チューナ部１
１０３：チューナ部２
１０４：ＭＰＥＧ２ ＤＥＭＵＸ
１０５：ＭＰＥＧ２ ＤＥＣＯＲＤＥＲ
１０６：ＣＰＵ
１０７：メモリ
１０８：フラッシュメモリ
１０９：ユーザ操作取得部
１１０：ＧＲＡＰＨＩＣＳ
１１１：番組情報取得処理部
【図１】
2006203745.tif 000003
【図２】
2006203745.tif 000004
【図３】
2006203745.tif 000005